(57)【要約】【課題】管理者などが糠処理を頻繁に行わなくても済みながら、設置箇所の外部に糠の粉塵が飛散したりすることのないコイン精米設備の糠収容装置としての糠小屋を提供する。【解決手段】コイン精米設備で発生した糠を溜める糠小屋であって、サイクロンが設けられておらず、糠を導入する糠導入経路２１を接続する糠導入用貫通孔５０ｂと、糠を回収した後の空気を排出する空気排出経路２２を接続する空気排出用貫通孔５０ｃとが糠小屋の側面または背面に直接設けられている。この構成により、精米機で発生する糠が、サイクロンを介することなく、糠導入経路２１から直接に糠小屋に回収される。この場合に、糠を、サイクロンを介することなく、直接、糠小屋に回収できるため、サイクロンの設置スペースが不要となって、少ない設置スペースで多くの糠を溜めることができる。【選択図】図５
2006082086.tif 000002
【特許請求の範囲】
【請求項１】
コイン精米設備で発生した糠を溜める糠小屋であって、サイクロンが設けられておらず、糠を導入する糠導入経路を接続する糠導入用貫通孔と、糠を回収した後の空気を排出する空気排出経路を接続する空気排出用貫通孔とが糠小屋の側面または背面に直接設けられていることを特徴とする糠小屋。
【請求項２】
糠小屋の内部に、コイン精米設備で発生した糠を溜める糠収容容器を配設したことを特徴とする請求項１記載の糠小屋。
【請求項３】
糠収容容器に容器内の糠を排出するための排出口を開閉する排出用扉を設けたことを特徴とする請求項２記載の糠小屋。
【発明の詳細な説明】
【技術分野】
【０００１】
本発明はコイン精米設備、特にコイン精米設備の糠収容装置に関するものである。
【背景技術】
【０００２】
コインや紙幣などの貨幣を投入することにより自動的に精米作業を行わせるコイン精米設備は知られている。図６に示すように、コイン精米設備をなす建屋１の内部は、仕切壁２にて、利用客が自由に行き来できる客室３と、管理者や保守点検員などの限定した人しか入ることができない機械室４とに仕切られている。
【０００３】
機械室４には、貨幣を投入することにより所定時間駆動する精米機５と、この精米機５と同期して駆動され、精米機５の精米処理により発生した糠を空気とともに吸引して送出す送風機６と、この送風機６により糠を含んだ空気が送出される送風経路としての糠送り経路７と、糠送り経路７の終端部に取付けられた乾式のサイクロン８と、サイクロン８の下方に着脱可能に取付けられて糠を回収する糠回収袋９とが配設されている。
【０００４】
図７に示すように、サイクロン８は、下部をなす円錐部８ａと、上部をなす円筒部８ｂと、円筒部８ｂの上面中央に形成された排気口８ｃと、円筒部８ｂの側面に接続された流入口８ｄとからなる。そして、流入口８ｄから糠ｘを含んだ空気ｙが送り込まれ、糠ｘは、円筒部８ｂおよび円錐部８ａの内壁に沿って螺旋状に回転しながら流下し、円錐部８ａの先端から落下して糠回収袋９に回収される。一方、サイクロン８内に流入した空気ｙは排気口８ｃより外部に排出される。
【発明の開示】
【発明が解決しようとする課題】
【０００５】
この種のコイン式精米設備は、その稼働回数や稼働時間が多い場合に、精米時に生じる糠ｘも多量となってしまい、比較的短期間に糠回収袋９に糠ｘが満杯に溜って糠回収袋９を取り替えなければならないことが多い。すなわち、このように糠回収袋９を建屋１（機械室４）の中に収容する構成であるコイン式精米設備では、糠回収袋９の大きさにも制限を生じるため、管理者が頻繁に糠処理を行わなければならず、多くの手間がかかってしまう。
【０００６】
これに対処すべく、管理者が頻繁に糠処理を行わなくても、大量の糠を回収できるように、建屋１内にサイクロン８や糠回収袋９を設ける代わりに、図８に示すように、建屋１の外に糠回収タンク１０を設置したコイン式精米設備がある。この糠回収タンク１０の上端部にもサイクロン１１が配設され、このサイクロン１１は、建屋１より外部まで延長された糠送り経路７の終端部に取付けられている。このように外付けの糠回収タンク１０を設置した場合には、糠回収タンク１０の糠回収容量を大きくできるため、管理者などが糠処理を頻繁に行わなくても済み、その分だけ手間を省くことができる。
【０００７】
しかしながら、このように外付けの糠回収タンク１０を設置した場合には、糠回収タンク１０内の糠が満杯になった場合に、糠回収タンク１０に取付けたサイクロン１１の排気口１１ｃより糠が外部に吹き出してしまい、糠回収タンク１０の設置箇所を汚してしまうおそれがある。また、糠回収タンク１０内の糠が満杯になっていない場合でも、糠回収タンク１０に取付けたサイクロン１１の排気口１１ｃから、糠の微粉が混じった空気が排出されるため、サイクロン１１近傍の設置場所などを汚してしまう可能性がある。特に、このようなコイン精米設備を都市近郊などに設置した場合には、近接する場所に糠の粉塵が飛散して、環境に悪影響を及ぼすおそれがある。
【０００８】
本発明は上記課題を解決するもので、管理者などが糠処理を頻繁に行わなくても済みながら、設置箇所の外部に糠の粉塵が飛散したりすることのないコイン精米設備の糠収容装置としての糠小屋を提供することを目的とする。
【課題を解決するための手段】
【０００９】
上記課題を解決するために本発明は、コイン精米設備で発生した糠を溜める糠小屋であって、サイクロンが設けられておらず、糠を導入する糠導入経路を接続する糠導入用貫通孔と、糠を回収した後の空気を排出する空気排出経路を接続する空気排出用貫通孔とが糠小屋の側面または背面に直接設けられていることを特徴とする。
【００１０】
この構成によれば、精米機で発生する糠が、サイクロンを介することなく、糠導入経路から直接に糠小屋に回収される。この場合に、糠を、サイクロンを介することなく、直接、糠小屋に回収できるため、サイクロンの設置スペースが不要となって、少ない設置スペースで多くの糠を溜めることができる。
【００１１】
また、本発明は、糠小屋の内部に、コイン精米設備で発生した糠を溜める糠収容容器を配設したことを特徴とする。また、本発明は、糠収容容器に容器内の糠を排出するための排出口を開閉する排出用扉を設けたことを特徴とする。
【発明の効果】
【００１２】
以上のように本発明によれば、コイン精米設備で発生した糠を溜める室外の糠回収容器として、サイクロンが設けられておらず、糠を導入する糠導入経路と糠を回収した後の空気を排出する空気排出経路とが壁面を貫通して設けられて接続されている糠小屋を用いることで、サイクロンなどが突出しないので、設置高さを低くすることができながら、多くの糠を良好に溜めることができる。また、サイクロンを設けないことで、当然ながらサイクロンのメンテナンスが不要となり、さらに、サイクロンを設けないことで、その分だけ製造コストも低減できる。
【００１３】
また、糠小屋として、サイクロンが設けられておらず、糠を導入する糠導入経路を接続する糠導入用貫通孔と、糠を回収した後の空気を排出する空気排出経路を接続する空気排出用貫通孔とが糠小屋の側面または背面に直接設けられているものを用いることで、糠導入経路や空気排出経路が糠小屋から上方に突出しないため、これにより、サイクロンを有するものに比べて、さらに、必要な設置高さスペースを低くすることができる。
【発明を実施するための最良の形態】
【００１４】
以下、本発明の実施の形態にかかるコイン精米設備の糠収容装置を図面に基づき説明する。なお、従来のコイン精米設備と同様な機能の構成要素には同符号を付してその説明は省略する。
【００１５】
図１は本発明の参考例を示すもので、図１に示すように、このコイン精米設備においては、建屋１の機械室４に配設された送風機６に、建屋１の内部から外部へ貫通して設けられた室外送出用送風経路２１が接続され、この室外送出用送風経路２１の先端部が、建屋１の外部に設置された大型の糠回収タンク１０の上部に取付けられた第１サイクロン１１の流入口１１ｄに接続されている。
【００１６】
また、第１サイクロン１１の排気口１１ｃには、この排気口１１ｃの箇所から、外部に開口せずに密閉されたＬ字状連結管２５を介して、建屋１の内部へ貫通して設けられた室内送出用送風経路２２が接続され、この室内送出用送風経路２２の先端部が、建屋１の機械室４内に配設された糠回収袋９の上部に取付けられた第２サイクロン８の流入口８ｄに接続されている。この糠回収袋９は、ロードセル２３で支持された支持台２４上に載せられており、糠回収袋９が満杯となって、所定重量以上となったことがロードセル２３で検知されると、次回以降の精米動作が行われないようになっている（なお、糠回収袋９の配置箇所に容量検知用のリミットスイッチなどを設けて満杯を検知させてもよい）。なお、糠回収袋９は通気性を有するが、糠は通さないメッシュ状のものが用いられている。
【００１７】
上記構成によれば、送風機６により送出された糠をまず、室外に配設されている大型の糠回収タンク１０で回収するため、大量の糠でも回収できて、管理者などが頻繁に糠処理を行わなくても済む。
【００１８】
また、糠回収タンク１０が満杯になると、この後、糠は糠回収袋９に回収されるが、この糠回収袋９が満杯に近づいても、糠回収袋９は建屋１の機械室４内に配設されているため、万一、これらの糠回収タンク１０および糠回収袋９が糠で満杯になった場合でも糠は建屋１の機械室４内しか飛散せず、外部に飛散することがない。
【００１９】
さらに、糠回収タンク１０や糠回収袋９が糠で満杯にならない状態でも、糠が送られる通路には、流れる空気に糠の微粉が混じるが、第１、第２のサイクロン１１、８や糠回収タンク１０、糠回収袋９を通った空気は、機械室４内に配設したサイクロン８の排気口８ｃから排出されるだけであるため、機械室４の外部に糠の微粉が漏れることを防止できて、外部の環境に悪影響を与えることがない。
【００２０】
しかも、下流に配置した糠回収袋９を建屋１の機械室４内に配設しているため、機械室４内の空いたスペースを有効に使用することができる。
なお、糠回収袋９が糠で満杯になると、この状態がロードセル２３で検知されて、次回以降の精米動作が行われないため、建屋１の機械室４内に糠が吹き出すこと自体も最小限に抑えられる。
【００２１】
また、糠回収袋９が糠で満杯になる直前の状態をロードセル２３などにより検知して精米機を停止させるように構成するなどし、下流の糠回収袋９にはサイクロン８を設けることなく、室内送出用送風経路２２の先端部に、通気性を有する糠回収袋９を直接接続してもよい。
【００２２】
また、上記参考例においては、上流の糠回収容器として糠回収タンク１０を用いた場合を述べたが、これに限るものではなく、図２に示すように、糠回収タンク１０に代えて、上部にサイクロン１１を取付けた糠箱４０を室外に設置し、サイクロン１１の排気口１１ｃにＬ字状連結管２５を介して接続した室内送出用送風経路２２を、建屋１の機械室４内に配設した糠回収袋９のサイクロン８に接続してもよい。
【００２３】
さらには、図３に示すように、糠箱４０の下流に糠小屋３０を配設し、糠箱４０のサイクロン１１にＬ字状連結管２５を介して接続した室内搬送用送風経路２２の先端部を、糠小屋３０内に設けたサイクロン８に接続してもよい。なお、図３における３０ａは、サイクロン８の円錐部８ａが突っ込まれている糠回収部、３１は、通気性を有しながら、糠ｘが外部に漏れ出ることを防止する排気フィルタである。
【００２４】
これらの構成によっても、図２に示す糠箱４０および糠回収袋９や、図３に示す糠箱４０および糠小屋３０の糠回収部３０ａにおいて糠が満杯になった場合でも糠は機械室４内や糠小屋３０内しか飛散せず、外部に飛散することを防止できる。また、図３に示す構成によれば、糠小屋３０の外部に糠の微粉が漏れることも防止できる。なお、糠排出防止用の排気フィルタ３１を図１、図２に示す機械室４と建屋１外部とを仕切る壁に組付けてもよい。
【００２５】
また、図４、図５は本発明の実施の形態を示すものである。これらの図に示すように、この実施の形態においては、糠収容容器５１を有する糠小屋５０が設けられている。そして、糠小屋５０へ糠を導入する糠導入経路としての室外送出用送風経路２１の先端が、サイクロンを介することなく、糠小屋５０に直接接続され、また、糠ｘを回収した後の空気を排出する空気排出経路としての室内送出用送風経路２２が、サイクロンを介することなく、糠小屋５０から直接接続されている。
【００２６】
糠小屋５０には、利用客が扉５２を開けて入ることができる客室５３が手前側箇所に設けられ、この客室５３よりも奥側の箇所に、糠ｘを溜める直方体形状の糠収容容器５１が、載せ台６１上に載置された姿勢で配設されている。糠収容容器５１の両側面上部には、その奥側位置に糠導入用貫通孔５１ｂが形成され、その手前側位置に空気排出用貫通孔５１ｃが形成されている。また、これらの貫通孔５１ｂ，５１ｃに対応する糠小屋５０の両側面にも糠導入用貫通孔５０ｂと空気排出用貫通孔５０ｃとがそれぞれ形成されており、建屋１に近い側に配置される貫通孔５０ｂ、５１ｂ、５０ｃ、５１ｃを通して、吸気筒５４と排気筒５５とが挿通されている。そして、室外送出用送風経路２１の下流端に吸気筒５４が取り付けられ、室内送出用送風経路２２の上流端に排気筒５５が取り付けられている。また、吸気筒５４の糠収容容器５１内側には下方に屈曲するエルボ部５４ａが設けられている。なお、使用しない貫通孔５０ｃ、５１ｃには、蓋６３、６４が取り付けられて貫通孔５０ｃ、５１ｃが閉鎖されている。
【００２７】
糠収容容器５１の前面上部には利用客が糠収容容器５１の内部を覗いて糠ｘの有無を確認できるように、透明板が嵌め込まれた覗き窓５７が設けられている。また、糠収容容器５１の前面下部には糠排出用の排出口５１ｄが形成されているとともに、この排出口５１ｄを開閉する排出用扉５８が昇降自在に取り付けられている。排出口５１ｄの手前側には、排出されてきた糠ｘを手前側下方に案内する傾斜案内ガイド５９が取り付けられている。
【００２８】
糠小屋５０の床面５０ａ上には、糠受け容器６０が置かれており、この糠受け容器６０内に、利用者が持参した糠回収袋Ｚを載置できるようになっている。そして、この糠回収袋Ｚを糠受け容器６０内における傾斜案内ガイド５９の手前箇所に載置して、排出用扉５８を開けることで、糠回収袋Ｚに糠ｘを回収できるようになっている。なお、糠小屋５０の扉５２は、糠小屋５０の内部が見えるように、上部はガラス戸とされている。
【００２９】
上記構成において、送風機６により送出された糠ｘは、まず、室外に配設されている糠小屋５０の糠収容容器５１で回収されるため、大量の糠でも回収できて、管理者などが頻繁に糠処理を行わなくても済む。また、糠小屋５０の糠収容容器５１が満杯になると、この後、糠ｘは糠回収袋９に回収されるが、この糠回収袋９が満杯に近づいても、糠回収袋９は建屋１の機械室４内に配設されているため、万一、これらの糠収容容器５１および糠回収袋９が糠で満杯になった場合でも糠ｘは建屋１の機械室４内しか飛散せず、外部に飛散することがない。
【００３０】
そして特に、この構成においては、糠小屋５０にサイクロンを設けずに、室外送出用送風経路２１や室内送出用送風経路２２を糠小屋５０に直接接続している。これに対して、例えば図２に示すように、サイクロン１１を糠箱４０などに設けている場合には、サイクロン１１の上部ならびに連結管２５が、糠を収容する糠箱４０から上方に突出することとなるので、その突出高さ分だけ大きな設置高さを必要とする。このことからわかるように、上記のように室外送出用送風経路２１や室内送出用送風経路２２を糠小屋５０に直接接続することで、当然ながら、サイクロンが糠小屋５０から突出しないため、その分だけ、必要な設置高さを低くすることができ、さらに、糠導入用貫通孔５０ｂや空気排出用貫通孔５０ｃを糠小屋５０の天井面ではなくて側面に設けることで、室外送出用送風経路２１や室内送出用送風経路２２が上方に突出せず、これによってさらに設置高さを低くすることができる。
【００３１】
また、サイクロン１１を用いる場合には、サイクロン１１の内壁面に糠ｘが付着して固化する場合が多いため、糠ｘの付着量が多大となった場合には、サイクロン１１を分解して固化した糠ｘを除去するなどのメンテナンスが必要となるが、糠小屋５０にサイクロンを設けないことで、当然ながらこれらのメンテナンスが不要となる。さらに、糠小屋５０にサイクロンを設けないことで、その分だけ製造コストも低減できる。
【００３２】
なお、糠導入用貫通孔５０ｂや空気排出用貫通孔５０ｃを糠小屋５０の側面だけでなく背面にも設けて、配管に適した場所の貫通孔５０ｂ、５０ｃを使用するように構成してもよい。
【００３３】
また、図４においては、建屋１と糠小屋５０とが室外送出用送風経路２１や室内送出用送風経路２２を介して接続されていることが理解しやすいように、建屋１の後方に糠小屋５０を配置した場合を概略的に図示したが、当然ながらこの配置に限るものではなく、建屋１の側方に隣接して糠小屋５０を配置し、建屋１の入口と糠小屋５０の入口とが隣り合うように配置してもよく、さらにその他の配置でもよいことはもちろんである。また、図４においては、建屋１の機械室４に配設したサイクロン８の排気口８ｃが機械室４内に臨むように配設した場合を図示したが、これに限るものではなく、サイクロン８の排気通路を建屋１の外部に導き出すように構成してもよい。この場合でも、糠ｘにおける比較的重いものは糠小屋５０の糠収容容器５１内に溜まり、糠ｘにおける微粉などの比較的軽いものでも建屋１内の糠回収袋９に溜まるため、建屋１内の糠回収袋９が満杯にならないように管理することで、糠ｘにおける微粉などが外部に飛散することを防止できる。
【００３４】
また、糠小屋５０における糠収容容器５１と載せ台６１との間に、ロードセルなどの荷重検出器を介装して、糠収容容器５１内が満量に近づいた際に、この状態を警報表示させるようにしてもよく、さらに、このような情報を精米装置の制御手段などに入力して必要に応じて表示させるようにしてもよい。
【００３５】
また、糠小屋５０の糠収容容器５１に設けられた覗き窓５７には、その内面に糠ｘが付着して、糠収容容器５１の内部が見え難くなるおそれがある。これに対処するものとして、図示はしないが、覗き窓５７内面の糠ｘをかきとるスクレーパーを金属棒に取付け、このスクレーパー付きの金属棒を覗き窓５７の内面側に沿って上下または左右にスライド自在に配設するとともに、このスクレーパー付きの金属棒に対向して、覗き窓５７の外面側に沿って上下または左右にスライド自在な棒状磁石を配設し、利用者などが棒状磁石を覗き窓５７に沿ってスライドさせることで、スクレーパーにより覗き窓５７内面の糠ｘを除去するようにしてもよい。
【００３６】
また、上記実施の形態においては、糠回収タンク１０と糠回収袋９、または糠箱４０と糠回収袋９、または糠箱４０と糠小屋３０、糠小屋５０と糠回収袋９など、いずれも２つの糠回収容器を直列に設けた場合を述べたが、これに限るものではなく、３つ以上の糠回収容器を直列に接続してもよく、下流端の糠回収容器を室内に配設し、それより上流の糠回収容器の少なくとも１つを室外に配設すれば、同様の作用効果を得ることができる。
【図面の簡単な説明】
【００３７】
【図１】本発明の参考例にかかるコイン精米設備の糠収容装置を示す図である。
【図２】本発明の他の参考例にかかるコイン精米設備の糠収容装置を示す図である。
【図３】本発明のその他の参考例にかかるコイン精米設備の糠収容装置を示す図である。
【図４】本発明の実施の形態にかかるコイン精米設備の糠収容装置を示す図である。
【図５】（ａ）および（ｂ）は同コイン精米設備の糠収容装置に用いられる糠小屋を示す部分切欠正面断面図および側面断面図である。
【図６】従来のコイン精米設備を示す図である。
【図７】サイクロンの斜視図である。
【図８】従来の他のコイン精米設備の糠収容装置を示す図である。
【符号の説明】
【００３８】
１          建屋
４          機械室
６          送風機
８、１１    サイクロン
９          糠回収袋（糠回収容器）
１０        糠回収タンク（糠回収容器）
２１        室外送出用送風経路
２２        室内送出用送風経路
３０        糠小屋
３０ａ      糠回収部（糠回収容器）
３１        排気フィルタ
４０        糠箱（糠回収容器）
５０        糠小屋
５１        糠収容容器
５０ｂ、５１ｂ      糠導入用貫通孔
５０ｃ、５１ｃ      空気排出用貫通孔
【図１】
2006082086.tif 000003
【図２】
2006082086.tif 000004
【図３】
2006082086.tif 000005
【図４】
2006082086.tif 000006
【図５】
2006082086.tif 000007
【図６】
2006082086.tif 000008
【図７】
2006082086.tif 000009
【図８】
2006082086.tif 000010